(57)【要約】【課題】放送信号を継続して受信しつつ消費電力を削減できる移動端末および受信方法を提供すること。【解決手段】移動端末は、複数のＴＶ受信系の１つで放送番組を受信している間、同系列のチャネルを受信できる可能性がある領域に位置するかによって、チャネルスキャンを実行すべきか否かを判別する（Ｓ１１００）。スキャンを実行すべきと判別した場合には（Ｓ１２００：ＹＥＳ）、機能を停止している他のＴＶ受信系を起動してスキャンを開始する（Ｓ１３００）。同系列のチャネルが検出され、受信チャネルを切り替えるべきと判別された場合には（Ｓ１４００：ＹＥＳ、Ｓ１５００、Ｓ１６００：ＹＥＳ）、同系列のチャネルの受信同期が取れた段階で、放送番組の受信を他のＴＶ受信系に切り替える（Ｓ１７００）。【選択図】図４
2008278058.tif 000002
【特許請求の範囲】
【請求項１】
それぞれが、放送信号を独立に受信再生可能な第１の受信手段および第２の受信手段と、
前記第１の受信手段が放送信号を受信再生している間、自機の現在位置が複数の放送エリアが重なる重複エリア内にあるときのみ前記第２の受信手段でチャネルスキャンを行なうスキャン実行手段と、
を有する移動端末。
【請求項２】
前記現在位置を取得する現在位置取得手段と、
前記重複エリアの位置を取得するエリア位置取得手段と、をさらに有する、
請求項１記載の移動端末。
【請求項３】
前記第１の受信手段を用いて受信再生されている放送番組と同一の放送番組を放送する放送信号を前記第１の受信手段が使用しているチャネルとは異なるチャネルで受信可能であるとき、当該チャネルの放送信号を前記第２の受信手段を用いて受信再生するチャネル切替手段、をさらに有する、
請求項１記載の移動端末。
【請求項４】
前記第１の受信手段が受信再生している放送信号の受信品質を判別する受信品質判別手段、をさらに有し、
前記スキャン実行手段は、
前記第１の受信手段が受信再生している放送信号の受信品質が所定レベル以下であり、かつ前記現在位置が前記重複エリア内にあるときのみ、前記第２の受信手段を用いてチャネルスキャンを行なう、
請求項１記載の移動端末。
【請求項５】
自機が移動中か否かを判別する移動判別手段、をさらに有し、
前記スキャン実行手段は、
自機が移動中であり、かつ前記現在位置が前記重複エリア内にあるときのみ、前記第２の受信手段を用いてチャネルスキャンを行なう、
請求項１記載の移動端末。
【請求項６】
自機が近付く方向に位置する送信所のチャネルを判別する移動先送信所チャネル判別手段、をさらに有し、
前記スキャン実行手段は、
自機が近付く方向に位置する送信所のチャネルについてのみ、前記第２の受信手段を用いてチャンネルスキャンを行う、
請求項１記載の移動端末。
【請求項７】
チャネルスキャンの指示をユーザから受け付ける指示受付手段、をさらに有し、
前記スキャン実行手段は、
前記チャネルスキャンの指示が有り、かつ前記現在位置が前記重複エリア内にあるときのみ、前記第２の受信手段を用いてチャネルスキャンを行なう、
請求項１記載の移動端末。
【請求項８】
前記現在位置が前記重複エリア内にあるとき、前記現在位置が前記重複エリア内にあることを示す情報をユーザに通知する通知手段、をさらに有する、
請求項７記載の移動端末。
【請求項９】
前記第１の受信手段が受信再生している放送信号で放送される放送番組と同一の放送番組を放送する同系列のチャネルを判別する同系列チャネル判別手段、をさらに有し、
前記受信再生切替手段は、
前記同系列のチャネルが検出されたとき、当該チャネルの放送信号の受信再生に切り替える、
請求項３記載の移動端末。
【請求項１０】
自機が近付く方向に位置する送信所のチャネルを判別する移動先送信所チャネル判別手段、をさらに有し、
前記受信再生切替手段は、
自機が近付く方向に位置する送信所のチャネルで前記同系列のチャネルが検出されたとき、当該チャネルの放送信号の受信再生に切り替える、
請求項９記載の移動端末。
【請求項１１】
放送局のネットワーク系列に関する情報と前記放送局が送出する放送信号のチャネルに関する情報とを取得するネットワーク系列情報取得手段、をさらに有し、
前記同系列チャネル判別手段は、
前記ネットワーク系列情報取得手段が取得する情報から、前記同系列のチャネルを判別する、
請求項９記載の移動端末。
【請求項１２】
自機の現在位置と、複数の放送エリアが重なる重複エリアの位置と、を取得する位置取得ステップと、
第１の受信手段が放送信号を受信再生している間、前記現在位置が前記重複エリア内にあるか否かを判別する位置判別ステップと、
前記現在位置が前記重複エリア内にあると判別されると、前記第１の受信手段とは独立に放送信号を受信再生可能な第２の受信手段を用いてチャネルスキャンを行なうスキャン実行ステップと、
を有する受信方法。
【発明の詳細な説明】
【技術分野】
【０００１】
本発明は、放送信号を受信する移動端末および受信方法に係り、特に、放送エリアごとにチャネルスキャンを行う移動端末及びこれに用いる受信方法に関する。
【背景技術】
【０００２】
近年、地上デジタル放送を受信可能な移動端末が普及している。地上デジタル放送の放送エリアは、各地に設置された送信所ごとに形成される。
【０００３】
地上デジタル放送は、いわゆる多周波数ネットワーク（multi frequency network：ＭＦＮ）であり、物理的な周波数のチャネルである物理チャネルの配置は、送信所によって異なる。したがって、移動端末側では、初めて放送番組を受信する際や、放送エリア間を移動する際には、視聴可能なチャネルを検出してチャネル番号を設定するチャネルスキャンを実施する。
【０００４】
ところが、放送エリアごとに移動端末における選局用情報の配置が変わると、移動元の放送エリアで視聴していた放送番組を移動先の放送エリアでも視聴しようとする際に不便が生じる。
【０００５】
そこで、放送局のネットワーク系列に関する情報に基づいて、同一のネットワーク系列に属する放送局の選局用情報を同一の配置でユーザに提示する技術が、たとえば特許文献１に記載されている。この技術によれば、同一のネットワーク系列に属する放送局の選局用情報、つまり同一の放送番組を選択できる選局用情報が常に同じ位置に配置されるので、放送番組を選択する際の操作性を向上させることができる。
【０００６】
ところが、放送エリア間を移動する際には、上記したようにチャネルスキャンを行わなくてはならないため、チャネルスキャンを開始してから終了するまでの間は放送信号を受信できない。
【０００７】
そこで、個別に放送信号を受信再生可能な２つの受信系を備え、一方の受信系を用いて放送信号の受信再生を行っている間に他方の受信系でチャネルスキャンを行う技術が、たとえば特許文献２に記載されている。この技術によれば、移動元の放送エリアと移動先の放送エリアとが重なる領域において、チャネルスキャンを行っている間も放送信号を受信できる。
【０００８】
ところが、チャネルスキャンには通常、数分程度の時間がかかる。したがって、放送信号の受信状態の悪化が進んでからチャネルスキャンを開始すると、受信チャネルの切り替えが完了するまでの間に、放送信号に受信できない部分が生じる可能性がある。
【０００９】
そこで、チャネルスキャンをあらかじめ行っておき、受信中のチャネルと検出されたチャネルとの受信状態の比較に基づいて受信チャネルを切り替える技術が、たとえば特許文献３に記載されている。この技術によれば、放送信号の受信状態の悪化が進む前に受信チャネルを切り替えることができ、移動元の放送エリアと移動先の放送エリアとが重なる領域を通過する際に放送信号を継続して受信できる。
【特許文献１】特開２００６−１５７７１９号公報
【特許文献２】特開２００５−２０４０６４号公報
【特許文献３】特開２００４−３２０４０６号公報
【発明の開示】
【発明が解決しようとする課題】
【００１０】
しかしながら、特許文献３記載の技術では、移動先の放送エリアのチャネルが検出されるまでチャネルスキャンを繰り返す必要があり、消費電力が高くなるという問題がある。たとえば、地上デジタル放送では、携帯電話機などの携帯端末向けの放送サービスが実施されており、現在、このような放送サービスに対応した携帯端末の普及が著しい。したがって、放送エリア間を移動する際に放送信号を継続して受信するだけでなく、できるだけ消費電力を抑えられることが望ましい。
【００１１】
本発明は、かかる点に鑑みてなされたものであり、放送信号を継続して受信しつつ消費電力を削減できる移動端末および受信方法を提供することを目的とする。
【課題を解決するための手段】
【００１２】
本発明の移動端末は、それぞれが、放送信号を独立に受信再生可能な第１の受信手段および第２の受信手段と、前記第１の受信手段が放送信号を受信再生している間、自機の現在位置が複数の放送エリアが重なる重複エリア内にあるときのみ前記第２の受信手段でチャネルスキャンを行なうスキャン実行手段とを具備する構成を採る。
【００１３】
本発明の受信方法は、自機の現在位置と、複数の放送エリアが重なる重複エリアの位置と、を取得する位置取得ステップと、第１の受信手段が放送信号を受信再生している間、前記現在位置が前記重複エリア内にあるか否かを判別する位置判別ステップと、前記現在位置が前記重複エリア内にあると判別されると、前記第１の受信手段とは独立に放送信号を受信再生可能な第２の受信手段でチャネルスキャンを行なうスキャン実行ステップとを有するようにした。
【発明の効果】
【００１４】
本発明によれば、自機が複数の放送エリアが重なる重複エリアに位置するときにのみ、放送信号を受信再生中の受信手段とは別の受信手段でチャネルスキャンを行う。これにより、放送信号を継続して受信できるだけでなく、むやみにチャネルスキャンを実行するのを防いで消費電力を抑えることができる。
【発明を実施するための最良の形態】
【００１５】
以下、本発明の一実施の形態について、図面を参照して詳細に説明する。
【００１６】
（実施の形態）
図１は、本発明の一実施の形態に係る移動端末の構成を示すブロック図である。本実施の形態は、ワンセグ受信機能とＧＰＳ機能とを備えた携帯電話機に適用した例である。
【００１７】
まず、ワンセグの概略について説明する。ワンセグは、地上デジタル放送の周波数帯域を構成する１３セグメントの１セグメントを用いた放送サービスである。放送番組等の映像データ、音声データおよびデータ放送は、トランスポートストリーム（transport stream：ＴＳ）に多重化される。このとき、トランスポートストリームには、受信側で所望の放送番組を選択するための情報である番組特定情報（program specific information：ＰＳＩ）や、番組選択の利便性のための情報である番組配列情報（service information：ＳＩ）が付加される。そして、トランスポートストリームは、誤り訂正符号化を含む所定のデジタル変調が行われ、さらにＯＦＤＭ（orthogonal frequency division multiplexing：直交周波数分割多重）変調が行われて、送信所のアンテナから送出される。
【００１８】
ワンセグでは、物理的な周波数のチャネルである物理チャネルと、論理チャネルとの組み合わせにより、放送番組を視聴するためのチャネル（以下単に「チャネル」という）を選択できる。地上デジタル放送のネットワークは、いわゆる多周波数ネットワークであり、物理チャネルの配置は送信所によって異なる。したがって、初めて放送番組を受信する際や、放送エリア間を移動する際には、視聴可能なチャネルを検出してチャネル番号を設定するチャネルスキャンを行う必要がある。
【００１９】
図１において、移動端末１００は、第１のＴＶ受信系１１０−１、第２のＴＶ受信系１１０−２、第１のＴＳデコーダ１２０−１、第２のＴＳデコーダ１２０−２、映像処理部１３０、データ放送処理部１４０、表示処理部１５０、表示部１６０、音声処理部１７０、合成器１８０、スピーカアンプ１９０、スピーカ２００、マイクロフォン２１０、マイクフォンアンプ２２０、通信データ処理部２３０、変調回路２４０、送信回路２５０、電話用アンテナ部２６０、受信回路２７０、復調回路２８０、ＧＰＳ（global positioning system）用アンテナ部２９０、ＧＰＳ受信回路３００、ＧＰＳ処理部３１０、ＣＰＵ（central processing unit）３２０、および不揮発メモリ３３０を有する。
【００２０】
第１および第２のＴＶ受信系１１０−１、１１０−２は、それぞれワンセグの放送信号を受信して元のトランスポートストリームを再生する。第１および第２のＴＶ受信系１１０−１、１１０−２の起動および停止は、ＣＰＵ３２０から出力される受信系起動停止制御信号ａにより個別に制御される。
【００２１】
第１のＴＶ受信系１１０−１と第２のＴＶ受信系１１０−２は、同様の構成を有する。第１のＴＶ受信系１１０−１は、ＴＶ用アンテナ部１１１−１、受信選択回路１１２−１、ＯＦＤＭ復調器１１３−１、およびデジタル復調器１１４−１を有する。第２のＴＶ受信系１１０−２は、ＴＶ用アンテナ部１１１−２、受信選択回路１１２−２、ＯＦＤＭ復調器１１３−２、およびデジタル復調器１１４−２を有する。
【００２２】
ＴＶ用アンテナ部１１１−１、１１１−２は、ワンセグの放送波を受信する。
【００２３】
受信選択回路１１２−１、１１２−２は、物理チャネルを切り替えて選択し、それぞれＴＶ用アンテナ部１１１−１、１１１−２を介してワンセグの放送信号を受信する。受信選択回路１１２−１、１１２−２における物理チャネルの切り替えおよび選択は、ＣＰＵ３２０から出力される受信選択制御信号ｂによって個別に制御される。
【００２４】
ＯＦＤＭ復調器１１３−１、１１３−２は、受信選択回路１１２の受信データに対してＯＦＤＭ復調を行う。
【００２５】
デジタル復調器１１４−１、１１４−２は、ＯＦＤＭ復調器１１３でＯＦＤＭ復調された受信データに対して誤り検出および誤り訂正を含むデジタル復調を行い、トランスポートストリームを出力する。
【００２６】
第１のＴＳデコーダ１２０−１は、第１のＴＶ受信系１１０−１で再生されたトランスポートストリームから、映像データ、音声データ、データ放送、番組特定情報（ＰＳＩ）、および番組配列情報（ＳＩ）を分離する。
【００２７】
第２のＴＳデコーダ１２０−２は、第２のＴＶ受信系１１０−２で再生されたトランスポートストリームから、映像データ、音声データ、データ放送、番組特定情報（ＰＳＩ）、および番組配列情報（ＳＩ）を分離する。
【００２８】
映像処理部１３０は、第１のＴＶ受信系１１０−１を介して受信された映像データを処理する第１の映像処理部（図示せず）と、第２のＴＶ受信系１１０−２を介して受信された映像データを処理する第２の映像処理部（図示せず）とを有する。第１の映像処理部は、第１のＴＳデコーダ１２０−１で分離された映像データに対して画質調整等の処理を行う。第２の映像処理部は、第２のＴＳデコーダ１２０−２で分離された映像データに対して画質調整等の処理を行う。
【００２９】
データ放送処理部１４０は、第１および第２のＴＳデコーダ１２０−１、１２０−２で分離されたデータ放送に対するデコード処理や映像データ化等の処理を行う。
【００３０】
表示処理部１５０は、映像処理部１３０で画質調整された映像データと、データ放送処理部１４０で生成される映像データとを合成し、表示データを生成する。
【００３１】
表示部１６０は、液晶ディスプレイ（図示せず）を備え、表示処理部１５０で生成された表示データを画面出力する。
【００３２】
音声処理部１７０は、第１および第２のＴＳデコーダ１２０−１、１２０−２で分離された音声データに対して音質調整およびデジタルアナログ変換等の処理を行う。
【００３３】
合成器１８０は、音声処理部１７０から出力される音声信号と、通信データ処理部２３０から出力される音声信号とを合成する。
【００３４】
スピーカ２００は、合成器１８０から出力される音声信号を、スピーカアンプ１９０を介して入力し、音声に変換して出力する。
【００３５】
マイクロフォン２１０は、音声を入力して音声信号に変換し、マイクフォンアンプ２２０を介して通信データ処理部２３０に出力する。
【００３６】
通信データ処理部２３０は、携帯電話網（図示せず）との間で送受信される音声データ、通信データ、および通信制御データ（以下「通信データ」と総称する）に関する処理を行う。
【００３７】
変調回路２４０は、通信データ処理部２３０から出力される通信データに対して所定の変調処理を行う。
【００３８】
送信回路２５０は、電話用アンテナ部２６０を介して携帯電話網に接続し、変調回路２４０で変調された通信データを送信する。
【００３９】
受信回路２７０は、電話用アンテナ部２６０を介して携帯電話網に接続し、自端末宛の通信データを受信する。
【００４０】
復調回路２８０は、受信回路２７０で受信された通信データに対して所定の復調処理を行い、復調された通信データを通信データ処理部２３０に出力する。
【００４１】
ＧＰＳ受信回路３００は、ＧＰＳ用アンテナ部２９０を介して、ＧＰＳ信号を受信する。
【００４２】
ＧＰＳ処理部３１０は、ＧＰＳ受信回路３００で受信されたＧＰＳ信号から、移動端末１００の現在位置の経緯度を取得する。
【００４３】
ＣＰＵ３２０は、制御プログラムを実行して、移動端末１００の各部の動作を制御する。特に、ＣＰＵ３２０は、第１のＴＶ受信系１１０−１と第２のＴＶ受信系１１０−２のいずれか一方を用いて放送番組を受信している間、他方のＴＶ受信系１１０でチャネルスキャンを行うべきか否かを判別する。そして、チャネルスキャンを行うべきと判別した場合にのみ、使用していない方のＴＶ受信系１１０を起動してスキャンを実行する。
【００４４】
具体的には、ＣＰＵ３２０は、放送番組を受信していない他方のＴＶ受信系１１０の機能を、初期状態で停止させておく。ＣＰＵ３２０は、受信中の放送番組の受信状態が悪化すると、各放送エリアの位置情報（以下「受信エリア情報」という）と自機の現在位置から、複数の放送エリアが重なった領域（以下「重複エリア」という）に自機が位置するか否かを判別する。そして、重複エリアに位置する場合には、受信チャネルを切り替えることにより同一の放送番組を別の放送エリアでも受信できる可能性があることから、機能を停止させておいた他方のＴＶ受信系１１０を起動し、チャネルスキャンを実行する。
【００４５】
さらに、ＣＰＵ３２０は、放送エリアごとに物理チャネルと放送局とを対応付けた物理チャネル対応表から、別のチャネルで同一の放送番組を受信可能である否かを判別する。そして、受信可能な場合には、新たに起動させた方のＴＶ受信系１１０で当該別のチャネルの受信を開始し、その後、切り替え元のＴＶ受信系１１０の機能を停止させる。
【００４６】
不揮発メモリ３３０は、ＣＰＵ３２０が実行する制御プログラムと、上記した受信エリア情報および物理チャネル対応表と、その他制御プログラムの実行に必要な各種情報とを格納する。
【００４７】
図２は、不揮発メモリ３３０に格納される受信エリア情報の一例を説明する図である。
【００４８】
ここでは、図２に示すように、親局である送信所４０１−１と、中継局である４０１−２とが配置され、それぞれ放送エリア４０２−１、４０２−２を形成している場合を例として説明を行う。放送エリア４０２−１の外周部（フリンジエリア）４０３−１の一部と、放送エリア４０２−２の外周部４０３−２の一部は重なっており、重複エリア４０４を形成しているものとする。また、携帯電話の無線基地局（図示せず）がカバーする基地局セル４０５のいくつかは、重複エリア４０４と重なっているものとする（図中、網掛部分）。
【００４９】
たとえば、移動端末１００を携帯するユーザを乗せた車両４０６が、矢印４０７に示すように、放送エリア４０２−１から放送エリア４０２−２へと、重複エリア４０４を通って移動したとする。第１の区間４０８−１は放送エリア４０２−２の外であり、第２の区間４０８−２は重複エリア４０４内であり、第３の区間４０８−３は放送エリア４０２−２の外である。この場合、送信所４０１−２のチャネルを検出するためのチャネルスキャンは、移動端末１００が第２の区間４０８−２にいる間に実施されるべきである。チャネルスキャンを行うべきタイミングか否かは、移動端末１００が重複エリア４０４に位置しているか否かによって判別できる。
【００５０】
そこで、移動端末１００は、たとえば重複エリア４０４と重なっている基地局セル４０５の無線基地局の識別情報と、重複エリア４０４の経緯度とをリスト化したものを、受信エリア情報として、不揮発メモリ３３０に格納する。移動端末１００は、この受信エリア情報を参照すれば、通信を行っている無線基地局の識別情報、またはＧＰＳ信号から取得される現在位置の経緯度から、移動端末１００が重複エリア４０４に位置しているか否かを容易に判別することができる。
【００５１】
また、移動端末１００は、重複エリア４０４と重なっている基地局セル４０５の無線基地局の識別情報に代えて、基地局セル４０５それぞれの経緯度を示す情報と、基地局セル４０５の無線基地局の識別情報とを格納してもよい。この場合には、移動端末１００は、現在位置を含む基地局セルが、重複エリア４０４と重なっているか否かを判別すればよい。
【００５２】
また、移動端末１００は、重複エリア４０４の経緯度に代えて、放送エリア４０２−１、４０２−２それぞれの経緯度を示す情報を格納してもよい。この場合には、移動端末１００は、放送エリア４０２−１、４０２−２それぞれの経緯度から、重複エリア４０４の経緯度を求める。または、基地局セル４０５が放送エリア４０２−１、４０２−２双方と重なるか否かを判別すればよい。
【００５３】
また、移動端末１００は、たとえば、送信所４０１−１、４０１−２の経緯度と、放送エリア４０２−１、４０２−２をそれぞれ送信所４０１−１、４０１−２を中心とする円に近似したときの円の半径とを格納してもよい。この場合には、上記各判別を簡単に行うことができる。
【００５４】
図３は、不揮発メモリ３３０に格納される物理チャネル対応表の一例を示す図である。
【００５５】
図３に示すように、物理チャネル対応表４２０では、送信所ごとに、物理チャネルと物理チャネルが割り当てられた放送局とが対応付けられ、さらに、各放送局は、ネットワーク系列ごとにグループ化されている。ネットワーク系列とは、放送番組の送出元であるキー局を同じとする放送局の集合であり、ここでは、同一のネットワーク系列に属する放送局は基本的に同一の放送番組を同時刻に放送するものとする。図３では、放送エリアの重なっている送信所を隣接させて配置している。
【００５６】
たとえば、Ｘ県の親局（Ｘ１）では、物理チャネル「１４」に放送局「Ｘ県ＮＨＫ」が対応付けられており、Ｘ県の中継局（Ｘ２）では、物理チャネル「１５」に放送局「Ｘ県ＮＨＫ」が対応付けられている。これは、Ｘ県の親局（Ｘ１）の放送エリアからＸ県の中継局（Ｘ２）の放送エリアへと移動する際に、放送局「Ｘ県ＮＨＫ」の放送番組と同一の放送番組を視聴するためには、物理チャネルを「１４」から「１５」へと切り替える必要があるということを示す。
【００５７】
また、Ｘ県の中継局（Ｘ２）では、物理チャネル「１７」に放送局「民放Ｚ」が対応付けられており、Ｙ県の親局（Ｙ１）では、物理チャネル「１７」に民放Ｚ系列である放送局「Ｙ県テレビ」が対応付けられている。これは、Ｘ県の中継局（Ｘ２）の放送エリアからＹ県の親局（Ｙ１）の放送エリアへと移動する際に、放送局「民放Ｚ」の放送番組と同一の放送番組を視聴するためには、物理チャネルを「１７」のままとし、放送局「Ｙ県テレビ」の放送番組を受信すればよいということを示す。
【００５８】
以上の受信エリア情報および物理チャネル対応表４２０は、移動端末１００の出荷前にあらかじめ不揮発メモリ３３０に格納されていてもよいし、ＣＰＵ３２０が、任意のタイミングで携帯電話の通信系を用いて携帯電話網やインターネットを介してダウンロードし、不揮発メモリ３３０に格納するようにしてもよい。
【００５９】
以下、上記構成を有する移動端末１００の動作について説明する。
【００６０】
ここでは、携帯電話機能およびＧＰＳ機能に関しては従来のものと同様であるため、これらについての説明を省略し、ワンセグ受信機能に関する動作を中心として説明を行う。
【００６１】
移動端末１００は、たとえば、表示部１６０に表示されるアイコンがキースイッチ（図示せず）の操作で選択されるなどしてワンセグの視聴の開始が指示されると、ＴＶ受信系１１０を用いて放送番組の受信を開始する。このとき、移動端末１００は、まず、過去にチャネルスキャンを実施している場合には、最後に実施したチャネルスキャンで検出したチャネルを用いる。放送番組の受信状態が悪い場合や、ユーザによりチャネルスキャンの実施を指示された場合、過去にチャネルスキャンを実施していない場合には、再度チャネルスキャンを実施し、チャネル番号の割り当て等の処理を行う。
【００６２】
受信が開始された放送番組の映像データおよびデータ放送は、表示部１６０で映像出力され、放送番組の音声データは、スピーカ２００で音声出力される。チャネルの選択の切り替えは、たとえば、表示部１６０に表示される各放送番組の番組名がキースイッチの操作で選択されることによって行われる。
【００６３】
移動端末１００は、基本的に、第１のＴＶ受信系１１０−１と第２のＴＶ受信系１１０−２のいずれか一方のみを用いて放送番組を受信し、他方の機能を停止させておく。そして、移動端末１００は、放送番組を受信している間、後述する動作を繰り返し実行する。
【００６４】
図４は、移動端末１００の放送番組を受信している間の動作を示すフローチャートであり、ＣＰＵ３２０により実行される。
【００６５】
ステップＳ１１００では、移動端末１００は、チャネルスキャンを行うべきタイミングであるか否かを判別するスキャン実行判別処理を実行する。スキャン実行判別処理の詳細については、後に別図を用いて説明する。
【００６６】
ステップＳ１２００では、移動端末１００は、スキャン実行判別処理でチャネルスキャンを行うべきタイミングであると判別した場合には（Ｓ１２００：ＹＥＳ）、ステップＳ１３００に進み、チャネルスキャンを行うべきタイミングではないと判別した場合には（Ｓ１２００：ＮＯ）、一連の処理を終了する。
【００６７】
ステップＳ１３００では、移動端末１００は、機能を停止しているＴＶ受信系１１０を起動し、起動したＴＶ受信系１１０を用いてチャネルスキャンを開始する。
【００６８】
ステップＳ１４００では、移動端末１００は、ステップＳ１３００で起動したＴＶ受信系１１０で、受信可能なチャネルが検出され、かつ、受信可能なチャネルに、現在受信中の放送番組と同一の放送番組を放送し、受信中のチャネルとは物理チャネルが異なるチャネルが含まれるか否かを判別する。具体的には、移動端末１００は、物理チャネル対応表４２０を参照し、同一のネットワーク系列に属する放送局のチャネルであって物理チャネルが異なるチャネル（以下「同系列のチャネル」という）を受信可能か否かを判別する。同系列のチャネルを受信可能な場合には（Ｓ１４００：ＹＥＳ）、ステップＳ１５００に進み、同系列のチャネルを受信できない場合には（Ｓ１４００：ＮＯ）、一連の処理を終了する。
【００６９】
ステップＳ１５００では、移動端末１００は、放送番組の受信に使用するチャネルを同系列のチャネルに切り替えるべきか否かを判別するチャネル切替実行判別処理を実行する。チャネル切替実行判別処理の詳細については、後に別図を用いて説明する。
【００７０】
ステップＳ１６００では、移動端末１００は、チャネル切替実行判別処理で同系列のチャネルに切り替えるべきと判別した場合には（Ｓ１６００：ＹＥＳ）、ステップＳ１７００に進み、同系列のチャネルに切り替えるべきではないと判別した場合には（Ｓ１６００：ＮＯ）、一連の処理を終了する。
【００７１】
ステップＳ１７００では、移動端末１００は、放送番組の受信に使用するチャネルを同系列のチャネルに切り替え、放送番組の受信に使用していない方のＴＶ受信系１１０の機能を停止する。具体的には、移動端末１００は、ステップＳ１３００で起動したＴＶ受信系１１０で、同系列のチャネルを選択して受信を開始する。そして、切り替えるチャネルの同期が取れた段階でコーデック入力を切り替え、その後、切り替え元のＴＶ受信系１１０の機能を停止する。これにより、放送番組の映像や音声を連続的に出力しながら、チャネルを切り替えることができる。
【００７２】
移動端末１００は、上記したように放送番組を受信している間、ステップＳ１１００〜Ｓ１７００の処理をあらかじめ定められた周期で繰り返し実行する。そして、移動端末１００は、表示部１６０に表示される所定のアイコンがキースイッチの操作で選択されるなどして、ワンセグの視聴終了が指示されると、放送番組を受信している方のＴＶ受信系１１０の機能を停止させる。
【００７３】
このように、チャネル行うべきタイミングであると判別したとき以外はチャネルスキャンを行わないので、むやみにＴＶ受信系１１０を起動してチャネルスキャンを実行するのを防ぐことができ、移動端末１００の消費電力を抑えることができる。
【００７４】
以下、スキャン実行判別処理およびチャネル切替実行判別処理について詳細に説明する。
【００７５】
本実施の形態のスキャン実行判別処理では、受信中のチャネルの受信状態と、受信エリア情報および自機の現在位置に基づいて、チャネルスキャンを行うべきか否かを判別する。また、本実施の形態のチャネル切替実行判別処理では、受信中のチャネルの受信状態と、切替先候補である同系列のチャネルの受信状態との比較に基づいて、同系列のチャネルに切り替えるべきか否かを判別する。
【００７６】
図５は、本実施の形態におけるスキャン実行判別処理の一例を示すフローチャートであり、図４のステップＳ１１００に対応するものである。
【００７７】
ステップＳ１１１０では、移動端末１００は、受信中のチャネルの受信状態が悪化したかどうかを判別する。具体的には、移動端末１００は、受信中のチャネルに対して、搬送波体雑音比（carrier to noise ratio：Ｃ／Ｎ）やビット誤り率（bit error rate：ＢＥＲ）、受信電界強度を判定し、これらの受信環境のパラメータをそれぞれにあらかじめ定めた閾値と比較して、受信状態を判定する。受信中のチャネルの受信状態が悪化した場合には（Ｓ１１１０：ＹＥＳ）、ステップＳ１１２０に進み、悪化していない場合には（Ｓ１１１０：ＮＯ）、ステップＳ１１４０に進む。
【００７８】
ステップＳ１１２０では、移動端末１００は、複数の送信所からの放送波を受信可能なエリア、つまり複数の放送エリアが重なる重複エリアに現在位置が含まれるか否かを判別する。重複エリアに現在位置が含まれる場合には（Ｓ１１２０：ＹＥＳ）ステップＳ１１３０に進み、重複エリアに現在位置が含まれない場合には（Ｓ１１２０：ＮＯ）、ステップＳ１１４０に進む。
【００７９】
具体的には、移動端末１００は、まず、携帯電話の通信系で受信した通信データから、移動端末１００が通信を行っている無線基地局の識別情報を取得する。そして、不揮発メモリ３３０の受信エリア情報を参照し、移動端末１００が重複エリア４０４に位置しているか否かを判別する。また、移動端末１００は、無線基地局の識別情報を取得できなかった場合や、取得した識別情報が不揮発メモリ３３０の受信エリア情報に登録されていない場合には、ＧＰＳ受信系を用いて、移動端末１００の現在位置の経緯度を取得する。そして、不揮発メモリ３３０の受信エリア情報を参照し、移動端末１００が重複エリア４０４に位置しているか否かを判別する。移動端末１００が重複エリア４０４に位置しているか否かの判別には、図２で説明したように、受信エリア情報の内容に応じた手法を用いればよい。
【００８０】
無線基地局の識別情報と移動端末１００の現在位置のいずれを用いるかについては、上記内容に制限されるものではない。たとえば、ナビゲーション機能が実行されている場合には、ナビゲーション機能で取得された移動端末１００の現在位置の経緯度を用いるようにしてもよい。
【００８１】
ステップＳ１１３０では、移動端末１００は、受信中のチャネルの受信状態が悪化しており、かつ同系列のチャネルをより良好な受信状態で受信できる可能性があると判断して、チャネルスキャンを行うべきタイミングであると判別する。そして、図４のステップＳ１２００に進む。
【００８２】
一方、ステップＳ１１４０では、移動端末１００は、受信中のチャネルの受信状態が良好か、受信状態が悪化しているとしても同系列のチャネルを受信できる可能性はないと判断して、チャネルスキャンを行うべきタイミングではないと判別する。そして、図４のステップＳ１２００に進む。
【００８３】
このようにして、移動端末１００は、受信中のチャネルの受信状態と、現在位置が重複エリア内であるか否かとに基づいて、チャネルスキャンを行うべきタイミングであるか否かを判別する。
【００８４】
図４で説明したように、チャネルスキャンが行われ、同系列のチャネルが検出されると、チャネル切替実行判別処理が実行される。
【００８５】
図６は、本実施の形態に係る移動端末１００のチャネル切替実行判別処理を示すフローチャートであり、図４のステップＳ１５００に対応するものである。
【００８６】
ステップＳ１５１０では、移動端末１００は、受信中のチャネルと同系列のチャネルの双方について、受信電界強度やビット誤り率など、受信環境の良否を示すパラメータ（以下「受信電界状態」と総称する）を取得する。
【００８７】
ステップＳ１５２０では、移動端末１００は、同系列のチャネルの受信電界状態が、受信中のチャネルの受信電界状態よりも良好か否かを判別する。同系列のチャネルの受信電界状態がより良好である場合には（Ｓ１５２０：ＹＥＳ）、ステップＳ１５３０に進み、受信中のチャネルの受信電界状態がより良好である場合には（Ｓ１５２０：ＮＯ）、ステップＳ１５４０に進む。
【００８８】
ステップＳ１５３０では、移動端末１００は、放送番組の受信に使用するチャネルを同系列のチャネルに切り替えるべきであると判別する。そして、図４のステップＳ１６００に進む。
【００８９】
一方、ステップＳ１５４０では、移動端末１００は、放送番組の受信に使用するチャネルを同系列のチャネルに切り替えるべきではないと判別する。そして、図４のステップＳ１６００に進む。
【００９０】
このようにして、移動端末１００は、受信中のチャネルの受信状態と、同系列のチャネルの受信状態との比較に基づいて、同系列のチャネルに受信チャネルを切り替えるべきか否かを判別する。これにより、受信チャネルを切り替えたことによりかえって映像品質や音質が劣化するといった事態を防ぐことができる。
【００９１】
このように、本実施の形態によれば、複数のＴＶ受信系の１つで放送番組を受信している間に、他のＴＶ受信系でチャネルスキャンを行う。そして、同系列のチャネルが検出された場合には、同系列のチャネルの受信同期が取れた段階で、放送番組の受信を他のＴＶ受信系に切り替える。これにより、複数の放送エリア間を移動する際に移動元と移動先とで同一放送番組を視聴できるチャネルが異なる場合でも、放送番組をシームレスに受信でき、ユーザは、放送エリア間の移動を意識することなく放送番組を視聴することができる。
【００９２】
また、チャネルスキャンを行うべきタイミングであるか否かを、同系列のチャネルを受信できる可能性がある領域（重複エリア）に位置するか否かに基づいて判別する。そして、チャネルスキャンを行うべきタイミングであると判別したときにのみ、放送番組の放送信号を受信していない他のＴＶ受信系を起動し、チャネルスキャンを開始する。これにより、同系列のチャネルを受信できる可能性がないにもかかわらずチャネルスキャンを実行するのを防ぐことができる。つまり、放送信号を継続して受信しつつ、消費電力を削減できる。
【００９３】
また、受信中のチャネルの受信状態が特に悪化していない場合には、同系列のチャネルスキャンを実行しないので、さらに消費電力を抑えることができる。
【００９４】
また、受信中のチャネルの受信状態が悪化していても、同系列のチャネルの受信電界状態が良好ではない場合には受信チャネルを切り替えないため、受信チャネルの切り替えによってかえって映像品質や音質が劣化するといった事態を防ぐことができる。
【００９５】
なお、受信チャネルを切り替える際、受信チャネルの切替中である旨を、表示部やスピーカを用いてユーザに報知するようにしてもよい。この場合、受信チャネルの切り替えに際して映像や音声が断続的となってしまった場合に、その原因が放送エリア間の移動に伴う受信チャネルの切り替えによるものであることを、ユーザに知らせることができる。
【００９６】
（変形例１）
以上説明した実施の形態では、受信中のチャネルの受信状態に基づいてチャネルスキャンを行うべきか否か、および受信チャネルを切り替えるべきか否かを判別した。ところが、受信中のチャネルの受信状態の悪化の原因が、たとえば周囲環境の変化などであって、放送エリアの外周部への移動ではない場合も有る。そこで、本実施の形態の変形例１として、移動中か否かを判別し、移動中ではないときにはチャネルスキャンを行わないようにした場合について説明する。
【００９７】
図７は、本実施の形態の変形例１におけるスキャン実行判別処理を示すフローチャートであり、図５に対応するものである。図５と同一部分には同一ステップ番号を付し、これについての説明を省略する。
【００９８】
移動端末１００は、受信中のチャネルの受信状態が悪化していると判別すると（Ｓ１１１０：ＹＥＳ）、ステップＳ１１１１に進む。
【００９９】
ステップＳ１１１１では、移動端末１００は、携帯電話網の受信波からフェージングピッチを検出する。ＴＶ受信波からフェージングピッチを検出するようにしてもよい。
【０１００】
ステップＳ１１１２では、移動端末１００は、検出したフェージングピッチから、移動端末１００が移動中であるか否かを判別する。移動端末１００が移動中である場合には（Ｓ１１１２：ＹＥＳ）、ステップＳ１１２０に進み、移動端末１００の現在位置が重複エリア内であるか否かを判別する処理に進む。したがって、移動端末１００の現在位置が重複エリア内である場合には、ステップＳ１１３０で、チャネルスキャンを行うべきタイミングであると判別する。一方、移動端末１００が移動中ではない場合には（Ｓ１１１２：ＮＯ）、ステップＳ１１４０に進み、チャネルスキャンを行うべきタイミングではないと判別する。
【０１０１】
このように、本変形例によれば、移動端末１００が移動中ではない場合には、受信状態が悪化していたとしても、チャネルスキャンを行うべきタイミングではないと判別する。これにより、放送エリアの外周部への移動ではない場合のチャネルスキャンの実施回数を少なくすることができ、消費電力をさらに低減できる。
【０１０２】
（変形例２）
携帯電話機では、通常、基地局セル間を移動する際に、位置登録やゾーン移行の処理が発生する。本実施の形態の変形例２として、位置登録やゾーン移行の処理が発生したときに移動端末１００が移動中であると判別する場合について説明する。
【０１０３】
図８は、本実施の形態の変形例２におけるスキャン実行判別処理を示すフローチャートであり、図６に対応するものである。図６と同一部分には同一ステップ番号を付し、これについての説明を省略する。
【０１０４】
移動端末１００は、受信中のチャネルの受信状態が悪化していると判別すると（Ｓ１１１０：ＹＥＳ）、ステップＳ１１１３に進む。
【０１０５】
ステップＳ１１１３で、移動端末１００は、通信データ処理部２３０において、携帯電話網に対する位置登録やゾーン移行の処理が発生したか否かを判別する。位置登録やゾーン移行の処理が発生した場合には（Ｓ１１１３：ＹＥＳ）、ステップＳ１１２０に進み、移動端末１００の現在位置が重複エリア内であるか否かを判別する処理に進む。一方、位置登録やゾーン移行の処理が発生していない場合には（Ｓ１１１３：ＮＯ）、少なくとも基地局セル間を移動中ではないものとして、ステップＳ１１４０に進み、チャネルスキャンを行うべきタイミングではないと判別する。
【０１０６】
このように、本変形例によれば、位置登録やゾーン移行の処理が発生していない場合には、チャネルスキャンを行うべきタイミングではないと判別する。これにより、フェージングピッチを検出しなくても、放送エリアの外周部への移動ではない場合のチャネルスキャンの実施回数を少なくすることができ、消費電力をさらに低減できる。
【０１０７】
（変形例３）
放送エリアが３つ以上重なった重複エリアでは、２つ以上の同系列のチャネルが検出される場合がある。しかしながら、移動端末１００の移動先の放送エリアではない放送エリアの同系列のチャネルに受信チャネルを切り替えてしまうと、受信チャネルの切り替えを再度行う必要が生じる。そこで、本実施の形態の変形例３として、同系列のチャネルが移動先の放送エリアのチャネルであるか否かを判別し、移動先の放送エリアのチャネルであるときに受信チャネルの切り替えを行う場合について説明する。
【０１０８】
本変形例では、移動端末１００は、通信を行っている無線基地局の識別情報または現在位置の経緯度を蓄積し、時系列の位置データとして不揮発メモリ３３０に記憶する。
【０１０９】
図９は、本実施の形態の変形例３におけるチャネル切替実行判別処理を示すフローチャートであり、図６に対応するものである。図６と同一部分には同一ステップ番号を付し、これについての説明を省略する。
【０１１０】
ステップＳ１５０１で、移動端末１００は、現在までの時系列の位置データと、受信エリア情報から、近付く方向に位置する直近の送信所（以下「移動先送信所」）を特定する。そして、物理チャネル対応表を参照して、図３のステップＳ１４００で検出した同系列のチャネルが、移動先送信所のチャネルであるか否かを判別する。検出した同系列のチャネルが移動先送信所のチャネルの場合には（Ｓ１５０１：ＹＥＳ）、ステップＳ１５１０に進み、受信中のチャネルと同系列のチャネルの双方の受信電界状態を取得する。そして、同系列のチャネルの受信電界状態が良好であれば（Ｓ１５２０：ＹＥＳ）、ステップＳ１５３０で受信チャネルを切り替えるべきであると判別することになる。一方、検出した同系列のチャネルが移動先送信所のチャネルではない場合には（Ｓ１５０１：ＮＯ）、ステップＳ１５４０に進み、受信チャネルを切り替えるべきではないと判別する。
【０１１１】
移動先送信所の特定は、たとえば、現在までの時系列の位置データから、所定時間後の
移動端末１００の位置を予測し、予測した位置が、どの送信所の放送エリア内であるかを判別すればよい。
【０１１２】
このように、本変形例によれば、検出した同系列のチャネルが、近付く方向に位置する直近の送信所のチャネルである場合に、受信チャネルを切り替える。これにより、同系列のチャネルを検出したとしても、移動先の放送エリアのチャネルではない場合には切り替え先としないようにすることができ、受信チャネルの切り替えの回数を減らすことができる。つまり、チャネルスキャンの回数を必要最小限に抑えることができ、消費電力をさらに低減できる。
【０１１３】
（変形例４）
現状では、それぞれの放送エリアで使用している物理チャネルは、地上デジタル放送で使用可能な全ての物理チャネルのうちの一部である。そこで、本実施の形態の変形例４として、移動先送信所を先に特定し、特定した移動先送信所の物理チャネルについてのみスキャンを行うようにする場合について説明する。
【０１１４】
本変形例においても、変形例３と同様に、移動端末１００は、通信を行っている無線基地局の識別情報または現在位置の経緯度を蓄積し、時系列の位置データとして記憶するものとする。
【０１１５】
図１０は、変形例４におけるワンセグ受信機能に関する動作を示すフローチャートであり、図４に対応するものである。図４と同一部分には同一ステップ番号を付し、これについての説明を省略する。
【０１１６】
ステップＳ１２００以前およびステップＳ１４００以降は、図４〜図６で説明した通りである。チャネルスキャンを行うべきと判別した場合には（Ｓ１２００：ＹＥＳ）、ステップＳ１３１０に進む。
【０１１７】
ステップＳ１３１０では、移動端末１００は、現在までの時系列の位置データと受信エリア情報から移動先送信所を特定し、物理チャネル対応表を参照して移動先送信所で使用している物理チャネルを特定する。
【０１１８】
ステップＳ１３２０では、移動端末１００は、ステップＳ１３１０で特定した物理チャネルについてのみチャネルスキャンを実行し、ステップＳ１４００に進む。
【０１１９】
このように、本変形例によれば、移動先送信所のチャネル以外のチャネルスキャンを行わないので、同系列のチャネルを検出するまでの時間を短縮することができ、消費電力をさらに低減することができる。
【０１２０】
なお、同系列のチャネル以外のチャネルスキャンを行わないようにすれば、スキャンの対象を最小限に絞ることができ、消費電力を大幅に低減することができる。この場合には、ステップＳ１４００を省略してもよい。ただし、他の放送番組を視聴する場合には、再度チャネルスキャンを実行する必要がある。
【０１２１】
（変形例５）
移動端末１００の移動ルートが定められている場合、移動ルートと重複エリアとの関係から、チャネルスキャンを行うべき位置をあらかじめ設定することができる。本実施の形態の変形例５として、移動端末１００に搭載されたナビゲーション機能を利用し、チャネルスキャンを行うべき位置として設定した位置を通過するタイミングでチャネルスキャンを行うようにした場合について説明する。
【０１２２】
以下、移動端末１００のナビゲーション機能を実現するアプリケーションソフトウェア（以下「ＮＡＶＩアプリケーション」という）において目的地点までの移動端末１００の移動ルートがシミュレーションされ、移動端末１００のユーザがシミュレーション結果に従って移動するものとして説明する。
【０１２３】
移動端末１００は、ＮＡＶＩアプリケーションで移動ルートがシミュレートされると、チャネルスキャンを行うべき位置をＮＡＶＩアプリケーションに設定するスキャン位置設定処理を実行する。
【０１２４】
図１１は、本実施の形態の変形例５に係る移動端末１００が実行するスキャン位置設定処理のフローチャートであり、ＣＰＵ３２０により実行される。
【０１２５】
ステップＳ１０１０では、移動端末１００は、ＮＡＶＩアプリケーションに問い合わせて移動端末１００の移動ルートを取得する。
【０１２６】
ステップＳ１０２０では、移動端末１００は、受信エリア情報を参照し、移動ルートが交差する重複エリアごとに、重複エリアに含まれる移動ルート上の位置を、チャネルスキャンを行う位置（以下「スキャン指定位置」）として取得する。
【０１２７】
ステップＳ１０３０では、移動端末１００は、取得したスキャン指定位置を、ＮＡＶＩアプリケーションに、通過時にスキャン指定位置通過を通知する信号を出力する位置として設定し、一連の処理を終了する。
【０１２８】
移動端末１００は、放送番組の受信を開始すると、図４で説明した動作を行う。ただし、本変形例では、移動端末１００は、図４のステップＳ１１００で、図５に示すスキャン実行判別処理とは異なるスキャン実行判別処理を実行する。
【０１２９】
図１２は、本実施の形態の変形例５におけるスキャン実行判別処理を示すフローチャートであり、図５に対応するものである。図５と同一部分には同一ステップ番号を付し、これについての説明を省略する。
【０１３０】
ステップＳ１１１５で、移動端末１００は、ＮＡＶＩアプリケーションから、スキャン指定位置通過を通知する信号が出力されたか否か、つまり、自機の現在位置が重複エリア内にあるか否かを判別する。スキャン指定位置通過を通知する信号が出力された場合には（Ｓ１１１５：ＹＥＳ）、ステップＳ１１３０に進み、チャネルスキャンを行うべきタイミングであると判別して、図４のステップＳ１２００に進む。一方、スキャン指定位置通過を通知する信号が出力されていない場合には（Ｓ１１１５：ＮＯ）、ステップＳ１１４０に進み、チャネルスキャンを行うべきタイミングではないと判別して、図４のステップＳ１２００に進む。
【０１３１】
このように、本変形例によれば、ナビゲーション機能を利用して、チャネルスキャンを行うべき位置を通過するとき以外は、チャネルスキャンを行わないようにすることができる。これにより、自機で現在位置を逐次取得したり、現在位置が重複エリアに位置するか否かを逐次判別することなく、重複エリア外におけるチャネルスキャンを行わないようにすることができる。
【０１３２】
なお、受信チャネルの選択が行われるごとに、次のスキャン指定位置のみを取得し、ＮＡＶＩアプリケーションに設定するようにしてもよい。また、スキャン位置設定処理をＮＡＶＩアプリケーション側で行い、ＮＡＶＩアプリケーションから受信チャネルの切り替えを指示するようにしてもよい。
【０１３３】
以上説明した実施の形態では、移動端末でチャネルキャンを行うべきタイミングであると判別したときに常にチャネルスキャンを行うようにしたが、このように限定されるものではなく、さらに一定の条件を満たした場合にのみチャネルスキャンを行うようにしてもよい。たとえば、現在位置が重複エリア内にあるとき、その旨を音声や画像でユーザに通知し、キースイッチの操作等によってユーザからチャネルスキャンの実行が指示されたときにのみ、チャネルスキャンを実行する。これにより、ユーザが望まないチャネルスキャンがむやみに実施されるのを防ぐことができる。
【０１３４】
また、以上説明した実施の形態では、本発明をワンセグ受信機能とナビゲーション機能とを有する携帯電話機に適用したが、これに限定されるものではない。たとえば、ワンセグ受信機能を搭載したＰＤＡ（personal digital assistant）やパーソナルコンピュータ、複数のセグメントを使用して地上デジタル放送を受信する車載用のテレビジョン受信機など、放送エリア間を移動し、移動先の放送エリアでのチャネルスキャンを行う各種の移動端末に適用可能である。
【産業上の利用可能性】
【０１３５】
本発明に係る移動端末および受信方法は、放送信号を継続して受信しつつ消費電力を削減できる移動端末および受信方法として有用である。
【図面の簡単な説明】
【０１３６】
【図１】本発明の一実施の形態に係る移動端末の構成を示すブロック図
【図２】本実施の形態における受信エリア情報の一例を説明する図
【図３】本実施の形態における物理チャネル対応表の一例を示す図
【図４】本実施の形態に係る移動端末の動作を示すフローチャート
【図５】本実施の形態におけるスキャン実行判別処理の一例を示すフローチャート
【図６】本実施の形態におけるチャネル切替実行判別処理の一例を示すフローチャート
【図７】本実施の形態の変形例１におけるスキャン実行判別処理を示すフローチャート
【図８】本実施の形態の変形例２におけるスキャン実行判別処理を示すフローチャート
【図９】本実施の形態の変形例３におけるチャネル切替実行判別処理を示すフローチャート
【図１０】本実施の形態の変形例４に係る移動端末の動作を示すフローチャート
【図１１】本実施の形態の変形例５に係る移動端末が実行するスキャン位置設定処理のフローチャート
【図１２】本実施の形態の変形例５におけるスキャン実行判別処理を示すフローチャート
【符号の説明】
【０１３７】
１００  移動端末
１１０−１  第１のＴＶ受信系
１１０−２  第２のＴＶ受信系
１１１  ＴＶ用アンテナ部
１１２  受信選択回路
１１３  ＯＦＤＭ復調器
１１４  デジタル復調器
１２０−１  第１のＴＳデコーダ
１２０−２  第２のＴＳデコーダ
１３０  映像処理部
１４０  データ放送処理部
１５０  表示処理部
１６０  表示部
１７０  音声処理部
１８０  合成器
１９０  スピーカアンプ
２００  スピーカ
２１０  マイクロフォン
２２０  マイクフォンアンプ
２３０  通信データ処理部
２４０  変調回路
２５０  送信回路
２６０  電話用アンテナ部
２７０  受信回路
２８０  復調回路
２９０  ＧＰＳ用アンテナ部
３００  ＧＰＳ受信回路
３１０  ＧＰＳ処理部
３２０  ＣＰＵ
３３０  不揮発メモリ
【図１】
2008278058.tif 000003
【図２】
2008278058.tif 000004
【図３】
2008278058.tif 000005
【図４】
2008278058.tif 000006
【図５】
2008278058.tif 000007
【図６】
2008278058.tif 000008
【図７】
2008278058.tif 000009
【図８】
2008278058.tif 000010
【図９】
2008278058.tif 000011
【図１０】
2008278058.tif 000012
【図１１】
2008278058.tif 000013
【図１２】
2008278058.tif 000014